(57)【特許請求の範囲】
【請求項１】
タンク内の洗浄水を給水先に給水するための排水弁装置であって、
タンク底面壁の排水口周りの弁座に当接し、前記排水口を開閉する弁体と、
該弁体を開弁側に駆動する開弁手段と、
タンク内の洗浄水から浮力を得るフロートを有し、前記フロートを介して前記弁体による前記排水口の開閉に関与するフロート機構とを備え、
該フロート機構は、
前記フロートの浮力を前記弁体に及ぼして前記弁体の開弁状態を維持する開弁維持手段と、
前記フロート浮力による前記弁体の開弁維持が不能となるよう前記フロートの浮沈状態をタンク内水位の低下に伴って推移させ、前記弁体を開弁状態から前記排水口の閉弁状態に推移させる閉弁推移手段と、
該閉弁推移手段により排水口閉弁状態への推移を起こす際の前記タンク内水位の低下位置を変化させて、前記弁体の閉弁推移時期を調整する調整手段とを備えると共に、
前記フロートを取り囲んで前記フロートの浮沈領域を形成する有底のスリーブを、スリーブ開口部をタンク底面側にして水没して備え、
前記浮沈領域における前記フロートの浮沈状態をタンク内水位が満水水位から低下する過程において維持することで、前記フロート浮力を前記弁体に及ぼして、前記弁体の開弁状態を維持し、
前記タンク内水位が前記スリーブの周壁のエア流入位置まで低下すると、該エア流入位置からスリーブ内部にエアを導いて該スリーブ内部を大気解放することで、前記フロートの浮沈状態を前記フロート浮力による前記弁体の開弁維持が不能となる状態に推移させて、前記弁体を開弁状態から前記排水口の閉弁状態に推移させ、
前記エア流入位置をスリーブ高さ方向において調整して前記スリーブ内の大気解放タイミングを調整することで、前記フロート浮沈状態の推移タイミングを変化させて、前記弁体の閉弁推移時期を調整する、排水弁装置。
【請求項２】
請求項１記載の排水弁装置であって、
前記弁体の閉弁推移後のタンク内洗浄水の補給の際に、前記スリーブ内部を補給洗浄水で満たす、排水弁装置。
【請求項３】
請求項１記載の排水弁装置であって、
前記スリーブは、前記有底部に貫通孔を有し、
前記貫通孔を浮力により前記有底部下面まで浮上した前記フロートを介して閉塞させて、該貫通孔閉塞状態を前記大気解放タイミングまで維持する、排水弁装置。
【請求項４】
請求項３記載の排水弁装置であって、
前記スリーブは、
前記有底部の上面側に、前記貫通孔を取り囲むよう筒状に形成され、タンク内洗浄水を前記貫通孔の上方に貯め置く上部貯水部を有する、排水弁装置。
【請求項５】
請求項４記載の排水弁装置であって、
前記弁体を下端に有するシャフトを、上下動可能に備え、
前記フロート機構は、
前記シャフトが前記貫通孔を貫通するように前記スリーブと前記上部貯水部を備えると共に、前記フロートを前記シャフト周りに該シャフトと一体に備え、
前記シャフトは、前記フロートが前記有底部まで達して前記貫通孔を閉塞する閉塞位置まで上昇動作する、排水弁装置。
【発明の詳細な説明】
【０００１】
【発明の属する技術分野】
本発明は、タンク内の洗浄水を給水先に給水するための排水弁装置とこれを有する排水装置並びに便器に関する。
【０００２】
【従来の技術】
この種の排水弁装置は、洗浄水を貯留するタンクに水没設置され、便器や簡易シャワー等の種々の給水先への洗浄水排水に多用されている。
【０００３】
排水弁装置は、タンク底面壁の排水口周りの弁座に弁体を当接させ、この弁体を弁座からリフトすることで、排水口を開放し、排水を行う。こうして開弁された弁体は、フロートからの浮力を受けて開弁状態を維持し、この開弁の間に亘って排水する。タンク内水位が低下しフロート周囲の水位が低下すると、この水位低下に併せてフロートは水面に露呈しつつ降下する。これにより、やがて弁体は弁座に当接して閉弁し、洗浄水排水は停止する。なお、排水停止後には、次回の排水に備えてタンク内には洗浄水が補給される。
【０００４】
ところで、便器では、その設置地域の法規制、或いは消費者の要望、昨今の省資源化等の観点から、洗浄時に使用する洗浄水水量を規定することが求められている。こうした要求に対しては、便器給水用のタンクに貯留する洗浄水の貯留量を変更することが簡便であり、上記した洗浄水排水停止後の洗浄水補給量を調整することで洗浄水水量の調整を行うことが一般的であった。通常、この洗浄水補給量調整は、タンクへの洗浄水給水経路を開閉するボールタップの開閉タイミングの調整を経てなされている。
【０００５】
【発明が解決しようとする課題】
例えば、洗浄水水量が６リットルであれば洗浄後に６リットルを補給し、１０リットルであれば１０リットルを補給する。この場合、上記した水位低下に伴う排水口開弁のタイミングは、水位が所定位置まで低下したタイミングであり、洗浄水水量の大小に拘わらず一定とされていた。よって、洗浄水水量が異なると、タンク内の満水水位もその高さが違っていた。よって、次のような問題が指摘されるに到った。
【０００６】
便器の洗浄能力は、便器のボール部形状、給水方式（例えば、リム給水、ボール部への直接給水等）、トラップ形状等に依存するほか、タンク内の洗浄水が有する満水時の水頭圧にも影響される。便器製造に際しては、予めその設計時の想定給水状況（例えば、設計値水頭圧で洗浄水水量；６リットル）で、所定の洗浄能力が発揮できるようボール部形状や、給水方式、トラップ形状等が定められる。このため、タンク内洗浄水が呈する水頭圧が異なる便器ごとに、トラップ形状等を異なる仕様とする必要があった。
【０００７】
例えば、６リットルを想定した便器で、タンクの満水水位を１０リットルとすると、満水水位が上がりその水頭圧も高まる。この場合には水頭圧の増大にともなって便器に供給される洗浄水の水勢が増大するので、ボール部溜水に洗浄水が合流する際の洗浄水の流れを不用意に乱して水はねを起こし、便器周囲を濡らしてしまうようなことが起きる。この逆に、１０リットルを想定した便器で、６リットルの満水水位とすると、満水水位が下がって水頭圧が小さくなるので便器に供給される洗浄水の水勢が減少し、ボール部溜水をトラップに流し込むことが不十分となり、便器が有する洗浄能力を発揮できない。
【０００８】
このように満水水位が設計時と相違する事態が起きることは、便器設置地域の水道事情によって皆無とはいえず、例えば洗浄水量を増加させるために満水水位を上昇させる際には洗浄水の水勢が増大しないように洗浄水経路に絞り設けるなど、その対処を図る必要があった。補給後の満水水位は、洗浄水補給時の補給水量を調整するというメンテナンスで容易に調整できるものの、洗浄水勢の調整は追加部品や調整専用部材を必要とし煩雑であった。
【０００９】
本発明は、上記問題点を解決するためになされ、便器メンテナンスの簡略化を図ることとをその目的とする。
【００１０】
【課題を解決するための手段およびその作用・効果】
かかる課題の少なくとも一部を解決するため、本発明の排水方法は、
タンク内の洗浄水を給水先に給水するための排水方法であって、
タンク底面壁の排水口周りの弁座に当接して前記排水口を開閉する弁体を開弁側に駆動し、
タンク内の洗浄水から浮力を得るフロートの前記フロート浮力を前記弁体に及ぼして前記弁体の開弁状態を維持し、
前記フロート浮力による前記弁体の開弁維持が不能となって前記弁体を開弁状態から前記排水口の閉弁状態に推移させるタイミングをタンク内水位の満水水位から水位が低下した位置で規定し、
前記推移タイミングを規定する前記水位低下位置を変更設定する
ことを特徴とする。
【００１１】
また、かかる課題の少なくとも一部を解決するため、本発明の排水弁装置は、
タンク内の洗浄水を給水先に給水するための排水弁装置であって、
タンク底面壁の排水口周りの弁座に当接し、前記排水口を開閉する弁体と、
該弁体を開弁側に駆動する開弁手段と、
タンク内の洗浄水から浮力を得るフロートを有し、前記フロートを介して前記弁体による前記排水口の開閉に関与するフロート機構とを備え、
該フロート機構は、
前記フロートの浮力を前記弁体に及ぼして、前記弁体の開弁状態を維持する開弁維持手段と、
前記フロート浮力による前記弁体の開弁維持が不能となるよう、前記フロートの浮沈状態をタンク内水位の低下に伴って推移させ、前記弁体を開弁状態から前記排水口の閉弁状態に推移させる閉弁推移手段と、
該閉弁推移手段により排水口閉弁状態への推移を起こす際の前記タンク内水位の低下位置を変化させて、前記弁体の閉弁推移時期を調整する調整手段と、
を備えることを特徴とする。
【００１２】
上記構成を有する本発明の排水方法と排水弁装置によれば、タンク内の洗浄水を給水先に給水するに当たり、その洗浄水水量を、満水水位から水位低下位置までで定まる水量としつつ、当該水量を、タンク水位の低下位置変更で定める。水位低下は、タンクへの洗浄水給水系機構に関係なく起きるので、排水口が弁体で閉弁される際の水位低下位置の変更の作業に際しては、当該作業を洗浄水給水系と無関係に行うことができる。この結果、便器メンテナンスの簡略化を図ることができると共に、便器設置場所での現場対応がしやすくなる。
【００１３】
また、次のような現象ももたらすことができる。
既述したように、洗浄水水量設定に際し、タンク水位の低下位置変更を行えば済み、満水水位を変更する必要がない。よって、満水時のタンク内洗浄水を給水先に排水する際の水頭圧に、大きな変動を来さない。このため、洗浄水給水先へは、ほぼ同じ水頭圧で洗浄水を給水できるので、水頭圧変動に伴う不具合を解消或いは低減できる。
【００１４】
上記した本発明の他の排水弁装置は、次のような態様を採ることもできる。
即ち、前記フロート機構は、
前記フロートを取り囲んで前記フロートの浮沈領域を形成する有底のスリーブを、スリーブ開口部をタンク底面側にして水没して備え、
前記浮沈領域における前記フロートの浮沈状態をタンク内水位が満水水位から低下する過程において維持することで、前記フロート浮力を前記弁体に及ぼして、前記弁体の開弁状態を維持し、
前記タンク内水位が前記スリーブの周壁のエア流入位置まで低下すると、該エア流入位置からスリーブ内部にエアを導いて該スリーブ内部を大気解放することで、前記フロートの浮沈状態を前記フロート浮力による前記弁体の開弁維持が不能となる状態に推移させて、前記弁体を開弁状態から前記排水口の閉弁状態に推移させ、
前記エア流入位置をスリーブ高さ方向において調整して前記スリーブ内の大気解放タイミングを調整することで、前記フロート浮沈状態の推移タイミングを変化させて、前記弁体の閉弁推移時期を調整する、ものとすることができる。
【００１５】
こうすれば、フロートは、スリーブの浮沈領域でその浮沈状態がタンク内水位が満水水位から低下する過程において、フロート浮力を弁体に及ぼし、弁体の開弁状態を維持する。そして、タンク内水位がスリーブ周壁のエア流入位置まで低下すると、スリーブ内部はエア流入位置から入り込んだエアにより大気解放され、フロートの浮沈状態は、フロート浮力による弁体の開弁維持が不能となる状態に推移し、弁体は開弁状態から排水口の閉弁状態に推移する。従って、タンク内の洗浄水を給水先に給水する際の洗浄水水量は、満水水位からエア流入位置までで定まる水量となる。
【００１６】
このエア流入位置をスリーブ高さ方向において調整してスリーブ内の大気解放タイミングを調整できるので、こうした調整により、フロート浮沈状態の推移タイミングを変化させて、弁体の閉弁推移時期を調整できる。スリーブにおけるエア流入位置の調整は、タンクへの洗浄水給水系機構と無関係に行うことができるので、既述したように便器メンテナンスの簡略化や、現場対応の簡便化を図ることができる。また、満水水位を変更しないので、水頭圧変動に伴う不具合を解消或いは低減できる。
【００１７】
この場合、弁体の閉弁推移後のタンク内洗浄水の補給の際には、スリーブ内部を補給洗浄水で満たすようにすれば、次回の洗浄時においてもスリーブ浮沈領域でのフロートの浮沈状態を再現できる。
【００１８】
また、前記スリーブは、前記有底部に貫通孔を有し、
前記貫通孔を浮力により前記有底部下面まで浮上した前記フロートを介して閉塞させて、該貫通孔閉塞状態を前記大気解放タイミングまで維持する、ものとすることができる。
【００１９】
こうすれば、スリーブ内部がエア流入位置からのエアで大気解放されると、この大気解放とほぼ同時に貫通孔も閉塞を解かれる。これに伴い、スリーブ内の洗浄水はスリーブ内から落下し、フロートは浮力を失ってスリーブ内で降下するので、フロート浮力での弁体開弁の維持ができなくなり、弁体は閉弁する。こうした弁体の開弁維持・その後の閉弁には、フロート単体での貫通孔の閉塞状況が関与するに過ぎないので、フロート以外の弁機構を要しない。よって、構成の簡略化を図ることができ、組み付け製造作業は簡便となり、コスト低下を図ることができる。なお、スリーブ内洗浄水の落下が急激に起きれば、フロートはほぼ総て露呈するのでフロート浮力は消失すると思われる。その一方、この洗浄水落下が緩慢であれば、落下に伴ってフロート浮力は低減し、やがてフロートの浮沈状態は一定となるので、フロート浮力はこの状態で定まる最低浮力となる。
【００２０】
しかも、スリーブ内部の大気解放は貫通孔を介しても起きるので、フロート浮沈状態は速やかに弁体閉弁側に推移し、スムーズに閉弁できる。また、洗浄水補給の際には、貫通孔を介してスリーブ内のエアが抜けるので、洗浄水補給時にスリーブ内に容易に洗浄水を導くことができる。
【００２１】
なお、上記の本発明の排水弁装置では、弁体閉弁時のタンク内洗浄水の満水水位がスリーブの有底部の上にさえ有れば、有底部下面まで浮上したフロートによる貫通孔の閉塞、並びにその閉塞状態のその後の維持が可能である。
【００２２】
また、前記スリーブは、前記有底部の上面側に、前記貫通孔を取り囲むよう筒状に形成され、タンク内洗浄水を前記貫通孔の上方に貯め置く上部貯水部を有する、ものとすることができる。こうすれば、次の利点がある。
【００２３】
スリーブの貫通孔の閉塞は、浮力を受けたフロートが有底部下面まで浮上することにより起き、この閉塞状態の確保には、貫通孔周囲やフロートにシール部材を設けて水密を図ることが有効である。ここで、この水密が不十分であるとすると、貫通孔の閉塞箇所には隙間が残ることになり、この隙間を通してスリーブ有底部上面から下面への洗浄水漏洩が起き得る。この場合、排水口からのタンク内洗浄水の排水に伴いタンク内水位がスリーブ有底部の下方まで低下すると、スリーブ貫通孔からの洗浄水漏洩は、この貫通孔からスリーブ内へのエア流入を最終的に引き起こす。よって、スリーブ内を満たしている洗浄水は下方へ落下し、フロートが弁体へ及ぼす浮力は既述したように低減して、弁体は閉弁することとなる。
【００２４】
しかるに本発明の上記態様においては、スリーブ有底部の上面側に貫通孔を取り囲むよう筒状に形成された上部貯水部で、タンク内洗浄水をスリーブ貫通孔の上方に貯め置くので、こうした漏洩が起きていている間において、スリーブ有底部の上面側で上部貯水部に洗浄水が残存している状況を維持することが可能となる。
【００２５】
こうした状況が起きている場合、上部貯水部の残存洗浄水の漏洩と、排水口からのタンク内洗浄水の流出に伴うタンク内水位低下とが並行して起きる。今、タンク内水位がスリーブのエア流入位置に達してスリーブ内へのエアの流入が起きようとする状況が、上部貯水部の総ての残存洗浄水が漏洩して当該貯水部が空となる状況（即ち、洗浄水がまだ貯め置かれている状況）より早く起きたとする。この場合には、タンク内水位がスリーブのエア流入位置に達するまで、スリーブ有底部の上面側から貫通孔を経て空気が入り込むことはない。よって、この間にあっては、スリーブ内は洗浄水により満たされた状態であり、フロートはスリーブ有底部の下面に浮上したままである。そして、漏洩継続の間にタンク内水位がスリーブのエア流入位置に達すれば、スリーブ外側から内側へのエア流入が起こり、これにより、既述したようにフロートが下方に離れて弁体は閉弁する。この結果、フロートによる貫通孔閉塞に際して水密が不十分であったとしても、支障なく弁体を開弁維持できると共に、弁体閉弁を起こすことができる。よって、フロートやスリーブ有底部下面或いは貫通孔には、シール部材設置や水密化確保のための機械加工が不要となるので、部品製造やその組み付けを簡便化できるほか、部品製造・組み付け等のコスト低減に有益である。
【００２６】
また、次のような利点もある。
スリーブのエア流入位置からのエア流入が起きれば、スリーブ内では、そのエアは貫通孔を通過し、このエア通過と共に上部貯水部の残留洗浄水は勢いよく貫通孔を流れ落ちる。この流れ落ちる残留洗浄水はフロートを強制的に下方に押すので、スリーブ内へのエア流入と相まって、速やかにフロートをスリーブ有底部下面から離すことができる。よって、弁体閉弁を高い応答性で速やかに起こすことができる。
【００２７】
なお、上記した貫通孔は、フロートにより閉塞されるものであればよく、単一の貫通孔の他、小径の貫通孔が点在したものでもよい。そして、後者の場合にあっては、それぞれの小径貫通孔がフロートにより閉塞されるようにすればよく、上部貯水部はこのそれぞれの小径貫通孔を取り囲んで洗浄水を貯め置けばよい。
【００２８】
また、前記弁体を下端に有するシャフトを、上下動可能に備えるものとし、
前記フロート機構は、
前記シャフトが前記貫通孔を貫通するように前記スリーブと前記上部貯水部を備えると共に、前記フロートを前記シャフト周りに該シャフトと一体に備え、
前記シャフトは、前記フロートが前記有底部まで達して前記貫通孔を閉塞する閉塞位置まで上昇動作するようにすることもできる。
【００２９】
こうすれば、シャフト周りにフロート機構を集約できるので、取扱が便利となる。しかも、シャフトの上昇動作により、弁体開弁（排水口開放）と貫通孔閉塞を同時実行できるので、排水のための操作も簡便となる。なお、シャフトが上昇動作を起こした以降は、既述したように、フロートによる貫通孔閉塞維持、タンク内水位低下時のエア流入を経て、弁体閉弁（排水停止）が起きる。
【００３０】
また、上記したように上部貯水部を設けるに当たり、上部貯水部を水の貯め置き量が調整可能なものとできる。こうすれば、上記した洗浄水の漏洩時間を長短設定できるので、次の利点がある。
【００３１】
タンク内水位がスリーブのエア流入位置に達するまでの時間（水位降下時間）は、排水口の開口面積により長短調整できる。このため、開口面積の調整と上記の上部貯水部の貯め置き量調整のいずれによっても、水位降下時間に対して漏洩時間を遅くしたり早くしたりできる。ところで、排水口はタンク底面壁の開口であることから開口面積調整は困難であるのに対し、上部貯水部はタンクとは別のものであるので、その調整は容易である。よって、水位降下時間と漏洩時間の長短調整を容易に行うことができる。
【００３２】
このように貯め置き量を調整可能とするには、
前記貫通孔を取り囲むよう前記蓋体の上方に突出した筒状体を備え、該筒状体の突出高さを調整すればよい。
また、この筒状体は、
前記蓋体の上方に突出した第１筒状体と、
該第１筒状体に組み込まれた第２筒状体とを有し、
該第２筒状体は、前記第１筒状体に対して上下にスライド可能とすればよい。
或いは、前記貫通孔を取り囲むよう前記蓋体の上方に突出した筒状体であって、側壁を貫通する側壁貫通孔を前記蓋体上面からの高さが異なる位置ごとに有する前記筒状体と、
該筒状体における前記側壁貫通孔を閉塞し、その閉塞状態を調整することで、未閉塞で最下段に位置する側壁貫通孔を変更する閉塞体とを有するものとすることもできる。
また、前記貫通孔を取り囲むよう前記蓋体の上方に突出した筒状体であって、側壁に筒状体内外での洗浄水の流通を起こす開口部を有する前記筒状体と、
該筒状体における前記開口部の開口状況を変更する閉塞体とを有するものとすることもできる。
以上のようにすれば、簡便に貯め置き量を調整できる。
【００３３】
また、上部貯水部は、タンク内洗浄水に水没した状態において洗浄水を貯め置き、タンク内水位低下に伴って水面に露呈する。よって、水面に露呈した状況では、上部貯水部の貯め置く洗浄水は、筒状体側壁の貫通孔や開口部から流れ出す。このため、この側壁貫通孔や開口部の面積を調整して、上部貯水部から洗浄水が流れ出る状況を調整できる。例えば、貫通孔や開口部の最下段位置が同じであるため最終的な洗浄水の貯め置き量が同じでも、面積が異なると、上部貯水部が満水の状況から最終的な貯め置きの状況になるまでの経過時間に長短が起きる。従って、こうした面積調整によっても、貯め置き洗浄水の上記した漏洩時間を調整できるので、上記の水位降下時間と漏洩時間の長短調整の幅が広がる。
【００３４】
以上の排水弁装置は、この排水弁装置を用いてタンク底面壁の排水口を開閉する排水装置に適用することができる。また、こうした排水装置は、この排水装置を用いて便器ボール部に洗浄水を流し込んで便器洗浄を行う便器に適用することができる。
【００３５】
【発明の実施の形態】
次に、本発明の実施の形態を実施例に基づき説明する。図１は実施例の大便器１０を表す概略斜視図、図２は大便器１０の正面を一部破断して示す正面図、図３は大便器１０の側面を一部破断して示す側面図、図４はこの大便器１０が有する洗浄水タンク１００の底面の様子を説明するための説明図である。
【００３６】
これら図面に示すように、大便器１０は、大小洗浄をその洗浄水水量に大小を持って実行すると共に、後述するように、大洗浄時の洗浄水水量についても調整可能である。この大便器１０は、便器ボール部１２を有する便器本体部１１を備え、本体部後方には、洗浄水タンク１００を有する。便器本体部１１と洗浄水タンク１００は、共に陶器製であり、洗浄水タンク１００が便器本体部１１の上面に乗り上げるようにして一体形成されている。なお、便器本体部１１上縁のリム１４には、便座１１ａと便蓋１１ｂが開閉自在に装着されている。
【００３７】
洗浄水タンク１００は、平面視において略Ｌ字状の外形をなし、便器本体部１１後方に位置する後部タンク部１０２と、便器側方に位置する側方タンク部１０４とを備える。この各タンク部は、蓋体１０６でその上端が閉鎖されている。後部タンク部１０２と側方タンク部１０４とは、その内部領域が連続するよう、連結形成されている。洗浄水タンク１００は、この後部タンク部１０２と側方タンク部１０４で、大洗浄時の洗浄水水量の洗浄水を貯留する。洗浄水タンク１００は、図２に模式的に示したボールタップ１０１ａを有する洗浄水給水機構１０１ｂで、この大洗浄時の最大洗浄水水量での満水水位となるように、洗浄水を補給する。つまり、ボールタップ１０１ａは、タンク内洗浄水に浮上しており、洗浄が完了して水位低下が起きると、洗浄水給水機構１０１ｂを開弁して洗浄水をタンク内に導き入れ、所定の浮上姿勢となると洗浄水補給を停止する。これにより、洗浄水タンク１００は、便器洗浄完了の都度に、ほぼ一定の満水水位で洗浄水を貯めることになる。
【００３８】
後部タンク部１０２の底面壁１０３は、図２に示すように、側方タンク部１０４との連結部の側に向けて傾斜する。側方タンク部１０４にあっては、底面壁１０５は、便器前方側の排水弁配設部１０７に向けて傾斜している。つまり、図４に示すように、後部タンク部１０２から側方タンク部１０４にかけては、図中の傾斜記号１０３ａに示すように底面壁１０３は傾斜し、側方タンク部１０４では、図中の傾斜記号１０５ａのように、底面壁１０５は傾斜している。よって、タンクから洗浄水が排水される排水終期には、後部タンク部１０２における洗浄水は側方タンク部１０４の側に流れ、側方タンク部１０４では排水弁配設部１０７の側に流れる。この結果、排水弁配設部１０７から離れた後部タンク部１０２の底面壁１０３、特に図４における後部タンク部１０２の左方側底面部には、洗浄水を残さないようにできる。
【００３９】
次に、洗浄水タンク１００からの洗浄水排水を図るための排水弁装置１１０と便器本体部１１の詳細について、順を追って説明する。図５は排水弁装置１１０の構成を図１の５−５線に沿って断面視して表す説明図、図６は図５の６−６線断面図、図７は図５の７−７線断面図である。
【００４０】
排水弁装置１１０は、洗浄水タンク１００における側方タンク部１０４の排水弁配設部１０７に次のようにして配設される。排水弁配設部１０７はその底面に開口１０７ａを有し、当該開口には、弁座スリーブ１０７ｂが固定具１０７ｃとシールリング１０７ｄを介して水密に装着されている。弁座スリーブ１０７ｂは、その貫通孔をタンク内洗浄水の排水口１０８とし、貫通孔上縁を弁座１０９とする。固定具１０７ｃには図２に示すようにＬ字配管１０７ｅが装着され、この配管を経てタンク内洗浄水は後述のリム通水路に通水される。
【００４１】
排水弁装置１１０は、この排水口１０８周りの弁座１０９に当接し、排水口１０８を開閉する弁体１１２と、この弁体１１２を下端に備え弁体開閉のために上下動する中空シャフト１１４と、開弁した弁体１１２を閉弁動作させるためのフロート機構１２０とを有する。フロート機構１２０は、フロート１２２と、このフロート１２２を取り囲んでフロート浮沈領域を形成するスリーブ１２４とを有する。
【００４２】
フロート１２２は、有底の筒状体１２２ａをその開口側が下方となるよう倒立姿勢を採り、中空シャフト１１４の周りに当該シャフトと一体とされている。フロート１２２は、図５に示す洗浄待機時において、内部に空気を残存させた状態でタンク内洗浄水に水没している。こうした状態にあるフロート１２２は、弁体開弁時において、水没していることで生じる浮力を中空シャフト１１４を介して弁体１１２に及ぼして弁体１１２の開弁を維持する。このフロート浮力がタンク内水位の低下に伴って低減することで、弁体１１２は閉弁する。弁体の開弁維持・閉弁の際のフロートの挙動については後述する。
【００４３】
フロート１２２は、有底部上端に閉塞シール１２３を有する。この閉塞シール１２３は、フロート１２２の浮上に伴い後述の貫通孔１２８をその下方側から閉塞する。この閉塞シール１２３は、ゴム・軟質樹脂（例えば、軟質ポリ塩化ビニル（ＰＶＣ）、発泡ポリエチレン（ＰＥ）等）のシート材から形成されており、上記のように閉塞した貫通孔１２８における気液の流通を遮蔽する。この遮蔽程度については後述する。
【００４４】
また、フロート１２２は、筒状体１２２ａの内側に内部スリーブ１２２ｂを備え、この両者を内部スリーブ側のシールリング１２２ｃで気密に保持する。図８はこの内部スリーブ１２２ｂでフロート１２２の内容積を可変する様子を説明するための説明図である。図示するように、フロート１２２は、内部スリーブ１２２ｂを下方に引き出すことでその内容積を増減でき、水没時に掛かる浮力の大きさを調整できる。
【００４５】
スリーブ１２４は、排水弁配設部１０７の上面に配設され、弁座スリーブ１０７ｂの上縁に嵌合固定される。スリーブ１２４は、スリーブ下端側周辺に脚１２４ａを等間隔に立設しており、各脚間の開口で弁座１０９の周囲を取り囲んでいる。よって、この脚間の開口は、タンク内の洗浄水が排水口１０８に至って排水される際の通水経路となる。この脚間開口は、後述のエア流入孔１３４と兼用することもできれば、エア流入孔１３４とは別に設けることもできる。スリーブ１２４は、上端側に蓋体１２６を備え、蓋体中央を中空シャフト１１４が入り込む貫通孔１２８とする。また、スリーブ１２４は、蓋体１２６の上部を、図５に示す洗浄待機時にあってタンク内洗浄水を貯め置く上部貯水部１３０とする。図示するように、本実施例では、この上部貯水部１３０の上端を数ミリ程度越えた水位が洗浄水の満水水位とされており、この状態において既述した満水水位で洗浄水が貯留される。なお、中空シャフト１１４には、図示しない給水機構が給水する際の規定水位を超えて洗浄水が供給された際に、増加した洗浄水を排水口１０８へ導くオーバーフロー孔１１５が等ピッチで空けられている。
【００４６】
スリーブ１２４は、貫通孔１２８の開口縁から中央に迫り出した貫通孔突起１２９を等ピッチで備え（図６参照）、蓋体１２６の下方に、スリーブ内壁から中央に迫り出した内壁凸条１３２を等ピッチで備える（図７参照）。この貫通孔突起１２９と内壁凸条１３２は、それぞれ中空シャフト１１４、フロート１２２の外周との間に僅かな間隙を残して中空シャフトとフロートに対峙する。よって、この中空シャフト１１４は、貫通孔突起１２９に案内されてほぼ真っ直ぐに上下動し、フロート１２２にあっても、スリーブ１２４の内部でほぼ真っ直ぐに上下動する。これにより、弁体１１２は、ほぼ同じ位置で弁座１０９に当接して排水口１０８を閉鎖する。なお、中空シャフト１１４のシャフト外周は貫通孔突起１２９と内壁凸条１３２でしか接触することはないので、中空シャフト１１４はスムースに上下動する。
【００４７】
内壁凸条１３２は等ピッチで存在するに過ぎないので、フロート１２２とスリーブ１２４の内周壁の間隙は、図示からも判るように広く空いている。よって、後述するようにスリーブ下方部位のエア流入位置からエアがスリーブ内に流入した場合、流入エアは速やかに上記間隙を経てスリーブ内上壁の蓋体１２６まで上昇する。スリーブ１２４をフロート１２２の外径より僅かに大きな内径のものとすれば、スリーブ外径を小さくでき、コンパクト化が可能である。この場合は、スリーブ下端から蓋体１２６に到るまでの間に、スリーブ内壁に縦溝を形成すれば、この縦溝が上記の流入エアの上昇経路となり、やはり、流入エアを速やかに蓋体１２６まで上昇させることができる。
【００４８】
図９は排水弁装置１１０を側面視して説明する説明図である。この図からも判るように、スリーブ１２４は、下方部位周壁に、上下に延びる長孔状のエア流入孔１３４と、外筒スリーブ１８５を有する。エア流入孔１３４は、スリーブ周りに等ピッチに形成され、外筒スリーブ１８５を上下摺動することで、それぞれのエア流入孔１３４の開口部上端位置を、スリーブ高さ方向において変更できる。つまり、エア流入孔１３４の開口部上端位置は、外筒スリーブ１８５の下端縁１８５ａで規定され、外筒スリーブ１８５とエア流入孔１３４の重なり程度で調整される。
【００４９】
このエア流入孔１３４は、スリーブ１２４外側のタンク内水位がエア流入孔１３４の開口部上端位置まで低下すると、タンク内のエアをスリーブ内部に流入させ、後述するように弁体閉弁に関与する。このエア流入の時期はエア流入孔１３４の開口部上端位置で定まる。よって、この開口部上端位置を外筒スリーブ１８５の上下摺動を経て調整することで、タンクから排水される洗浄水水量を規定できる。
【００５０】
次に、この排水弁装置１１０が有する開弁機構について説明する。排水弁装置１１０は、中空シャフト１１４の上端に形成された上昇動作係合具１４０と、蓋体１０６の上面に上下動可能に配設された大洗浄押圧ボタン１４２と小洗浄押圧ボタン１４４と、これら各ボタンの押圧動作を中空シャフト１１４に伝達するための大洗浄リンク片１４３と小洗浄リンク片１４５とを有する。
【００５１】
大洗浄押圧ボタン１４２と小洗浄押圧ボタン１４４の各押圧ボタンは、押圧操作の後には元の位置に復帰するよう、図示しないスプリングにより常に上向きに付勢されている。各押圧ボタンの押圧動作は、大洗浄リンク片１４３或いは小洗浄リンク片１４５の回転動作に変換される。このリンク片が回転すると、各リンク片と上昇動作係合具１４０とを係合させる係合腕１４６を介して、中空シャフト１１４は持ち上げられ、弁体１１２は弁座１０９から離れて排水口１０８を開弁する。これにより、タンク内洗浄水の排水（便器への給水）が開始される。
【００５２】
排水弁装置１１０は、大洗浄と小洗浄の上記各押圧ボタンが押圧操作されたときの中空シャフト１１４の上昇動作長を長短択一的に選択するシフト量調整機構１４８を有する。図５に示すように、このシフト量調整機構１４８は、振り子状に回動自在とされた駒１４９と、大洗浄押圧ボタン１４２の下方から延び駒１４９の回動を規制する回動規制プレート１５０とを有する。駒１４９は、図示しないスプリングにより図中矢印Ｘ方向に付勢されており、駒先端を中空シャフト１１４の上端側外周に当接させている。回動規制プレート１５０は、図示しないスプリングにより上方に向けて付勢されており、大洗浄押圧ボタン１４２の押圧操作に伴って下降する。回動規制プレート１５０は、この下降動作により駒１４９の駒先端と中空シャフト１１４の外周壁との間に入り込み、中空シャフト１１４が上昇動作を起こしている間に亘って、駒先端を中空シャフト１１４から遠ざける。これにより、後述するように中空シャフト１１４のリフト量は多くなる。回動規制プレート１５０は、小洗浄押圧ボタン１４４の押圧操作時にあっては図示する位置に止まるので、駒１４９は、スプリング付勢力を受けて既述したように駒先端を中空シャフト１１４の上端側外周に当接させる。これにより、後述するように中空シャフト１１４のリフト量は少なくなる。
【００５３】
次に、上記した各押圧ボタンが操作されたときのタンク内洗浄水の排水の様子をフロート１２２等の挙動と併せて説明する。図１０は大洗浄押圧ボタン１４２を押圧操作した大洗浄時の前半部分における洗浄水排水の様子と各部材の挙動を表す説明図であり、図１０（ａ）はボタン操作時の様子を図１０（ｂ）は洗浄水排水途中の様子を示す説明図である。図１１は大洗浄時の後半部分における洗浄水排水の様子と各部材の挙動を表す説明図であり、図１１（ａ）は排水終期間近の時の様子を図１１（ｂ）は洗浄水排水終了時の様子を示す説明図ある。なお、説明の便宜上、操作対象となった押圧ボタンは区別して描画する。
【００５４】
図５に示す洗浄待機状態において大洗浄押圧ボタン１４２が図中矢印Ｌａのように押圧操作されると、大洗浄リンク片１４３は矢印Ｌａ１のように回転し、係合腕１４６を持ち上げる。これにより、中空シャフト１１４は、矢印Ｌａ２に示すように上昇する。この際、回動規制プレート１５０は、矢印Ｌａ３のように降下するので、駒１４９の駒先端が中空シャフト１１４のリフト規制孔１１６に入り込むことはない。よって、大洗浄押圧ボタン１４２の操作時にあっては、中空シャフト１１４は、上昇端として規定された位置、即ち、図１０（ａ）に示すように、フロート１２２がその閉塞シール１２３を蓋体１２６下面に当接させる上昇端位置まで上昇する。これにより、貫通孔１２８は、閉塞シール１２３により閉塞される。なお、リフト規制孔１１６は、対向形成されているので、中空シャフト１１４は、上昇動作係合具１４０との関係で１８０度回転した状態でも組み付け可能である。
【００５５】
本実施例では、回動規制プレート１５０の降下により駒先端のリフト規制孔１１６への入り込みが起きないようにしたが、こうした構成に限られない。例えば、大洗浄押圧ボタン１４２の押圧操作時には、当該ボタンにより回動規制プレート１５０を傾斜させ、このプレートで駒１４９を中空シャフト１１４から遠ざかる側に回転させるように構成することもできる。
【００５６】
このように中空シャフト１１４が上昇すると、この上昇と同時に弁体１１２は弁座１０９から離れて排水口１０８を開弁する。これにより、タンク内洗浄水の排水（便器への給水）が開始される。フロート１２２は、自身の浮力（フロート浮力）を弁体１１２に及ぼして、この弁体１１２の開弁状態を維持する。なお、閉弁時においてもフロート１２２はフロート浮力を弁体１１２に及ぼすが、弁体１１２は、タンク内洗浄水から受ける水頭圧とフロート浮力の差分の力によって閉弁状態を維持するようにされている。
【００５７】
その一方、フロート１２２は、自身の浮力により絶えず閉塞シール１２３を蓋体１２６下面に押し付けるので、閉塞シール１２３による貫通孔１２８の閉塞状態を維持する。こうした弁体の開弁維持・貫通孔の閉塞状態維持の間において、タンク内洗浄水は引き続き排水口１０８から排水されるので、タンク内水位は低下する。
【００５８】
タンク内水位が上部貯水部１３０の周囲壁１３０ａの上端に達するまでは、一律にタンク内水位は低下する。タンク内水位がこの周囲壁上端を下回った以降では、図１０（ｂ）に示すように、スリーブ１２４では、貫通孔１２８がフロート１２２の閉塞シール１２３により閉塞されたままである。よって、スリーブ内へのエア流入は起きず、スリーブ内は洗浄水で満たされたままであると共に、貫通孔１２８も浮力を受けるフロート１２２により閉塞されたままである。この間であっても、スリーブ外側では引き続きタンク内水位は低下する（図１０（ｂ）参照）。
【００５９】
タンク内水位がエア流入孔１３４の開口部上端位置（即ち、外筒スリーブ１８５の下端縁１８５ａ）まで低下すると（図１１（ａ）参照）、それぞれのエア流入孔１３４を通ってスリーブ外側から内側にエアが流入し、スリーブ内は大気解放される。よって、スリーブ内を満たしていた洗浄水は、このエアのスリーブ内流入に伴い排水口１０８を経てスリーブ内から排水される。フロート１２２は、スリーブ内洗浄水の排水に伴いスリーブ内水面に従って下降し、フロート浮力は低減する。この場合、スリーブ内の洗浄水は排水口１０８から一気に排水されるので、フロート１２２は瞬時に総て露呈してフロート浮力が消失する事態も起き得る。こうしてフロート浮力の低減若しくは消失が起きると、フロート浮力では弁体１１２を開弁状態に維持しておくことができなくなり、弁体１１２は弁座１０９の側に下降して排水口１０８を閉弁する。これにより、タンク内洗浄水の排水（便器への給水）は終了する（図１１（ｂ）参照）。
【００６０】
こうしてエア流入孔１３４を経たスリーブ内へのエア流入が起きると、上記のスリーブ内大気解放と共に上部貯水部１３０の残留洗浄水は勢いよく貫通孔１２８を流れ落ちる。この流れ落ちる残留洗浄水はフロート１２２を強制的に下方に押すので、スリーブ内へのエア流入と相まって、フロート１２２は速やかに蓋体１２６下面から離れる。よって、弁体１１２は応答性よく閉弁動作を起こし、タンク内洗浄水の排水終了の応答性も高まる。なお、弁体１１２が閉弁して排水が完了すると、既述したように、ボールタップ１０１ａ等により洗浄水タンク１００には、新たな洗浄水が補給され、洗浄水タンク１００は、図５で示した満水水位で洗浄水を貯留した洗浄待機状態となる。
【００６１】
ところで、貫通孔１２８の閉塞が不十分で閉塞箇所に隙間があると、この隙間を通してスリーブ内へのエアの流入を起こし、タンク内水位がエア流入孔１３４に達する以前にスリーブ内が大気解放される。しかし、本実施例では、貫通孔１２８上部の上部貯水部１３０に洗浄水を貯め置くので、隙間が残っていても、この隙間からの洗浄水の漏洩を起こす。この漏洩が起きている間は、貫通孔１２８によるスリーブ内の大気解放を起こさず、フロート１２２を浮上させたままとして貫通孔１２８の閉塞も維持できる。よって、閉塞シール１２３による貫通孔１２８の閉塞を厳格な水密確保ができるようにする必要が無く、各部材にも高い寸法精度や組み付け精度等を要しない。このため、部品の加工工程や組み付け工程の管理・維持が簡便となり、コスト低減に有益である。
【００６２】
次に、小洗浄押圧ボタン１４４が押圧操作された場合について説明する。図１２は小洗浄押圧ボタン１４４を押圧操作した小洗浄時の前半部分における洗浄水排水の様子と各部材の挙動を表す説明図であり、図１２（ａ）はボタン操作時の様子を図１２（ｂ）は洗浄水排水途中の様子を示す説明図である。図１３は小洗浄時の後半部分における洗浄水排水の様子と各部材の挙動を表す説明図であり、図１３（ａ）は排水終期間近の時の様子を図１３（ｂ）は洗浄水排水終了時の様子を示す説明図ある。
【００６３】
図５に示す洗浄待機状態において小洗浄押圧ボタン１４４が図中矢印Ｌｂのように押圧操作されると、小洗浄リンク片１４５は矢印Ｌｂ１のように回転し、係合腕１４６を持ち上げる。これにより、中空シャフト１１４は、矢印Ｌｂ２に示すように上昇する。この際、回動規制プレート１５０はそのままの位置にあるので、駒１４９は駒先端を中空シャフト１１４の外周壁に押し付ける。この状態で中空シャフト１１４は上昇するので、駒１４９の駒先端はリフト規制孔１１６に入り込む。このため、図１２（ａ）に示すように、小洗浄押圧ボタン１４４の操作時にあっては、中空シャフト１１４は、既述した上昇端位置（図１０（ａ）参照）の手前（図における下方）の中間位置までしか上昇しない。この場合には、フロート１２２は蓋体１２６の下面まで達しないので、貫通孔１２８は開放されたままである。
【００６４】
このように回動規制プレートを動かさないことで駒先端がリフト規制孔１１６に入り込むようにしたが、こうした構成に限られない。例えば、小洗浄押圧ボタン１４４の押圧操作時には、当該ボタンにより回動規制プレート１５０を傾斜等させ、このプレートで駒１４９を中空シャフト１１４の側に回転させるように構成することもできる。
【００６５】
こうした中空シャフト１１４の上昇と同時に、弁体１１２は弁座１０９から離れて排水口１０８を開弁する。これにより、タンク内洗浄水の排水（便器への給水）が開始され、大洗浄時と同様、フロート浮力により弁体１１２の開弁状態は維持される。これにより、タンク内水位は低下する。
【００６６】
この場合、貫通孔１２８は開放されているので、タンク内水位は、蓋体１２６に達するまでの間に亘り、スリーブ内外で同じように低下する。つまり、上部貯水部１３０の貯め置く洗浄水は、スリーブ外側の水位低下と共に貫通孔１２８を通過してスリーブ内に流れ落ち、図１２（ｂ）に示すように、スリーブ内は大気解放状態となる。よって、タンク内水位は、蓋体１２６の下方位置であっても、スリーブ内外で引き続き同じように低下する。
【００６７】
こうしてタンク内水位が低下すると、図１３（ａ）に示すように、フロート１２２は、この水位低下に伴って水面に露呈し、その後の水位低下と共に降下する。これにより、弁体１１２は、既述したように中空シャフト１１４と共に降下して排水口１０８を閉弁し（図１３（ｂ）参照）、洗浄水排水（便器への給水）は終了する。こうした閉弁は、押圧ボタン操作時の弁体上昇分だけのシャフト降下が起きればよいことから、タンク内水位がスリーブ１２４におけるエア流入孔１３４の開口部上端位置に達する以前に起きる。よって、この小洗浄時の洗浄水水量（排水総量）は、大洗浄押圧ボタン１４２の押圧操作により中空シャフト１１４が上記の上昇端位置（図１０（ａ）参照）まで上昇動作した場合より少なくなる。この結果、小洗浄押圧ボタン１４４の押圧操作に伴う小洗浄時では、大洗浄時よりも少ない量の洗浄水を便器への給水のために排水することができる。つまり、本実施例の排水弁装置１１０によれば、大小洗浄時で異なる水量の洗浄水を洗浄水タンク１００から便器に給水（排水）することができる。
【００６８】
なお、上記したようにタンク内洗浄水を給水を受ける大便器１０は、その給水洗浄水をリム１４内のリム導水路に導き、これをボール部に吐出して便器洗浄を行う。
【００６９】
以上説明したように、本実施例では、洗浄水タンク１００がその満水水位で貯留した洗浄水を大便器１０に給水するに当たり、大洗浄時にあっては、洗浄水水量を、満水水位からエア流入孔１３４の開口部上端位置（即ち、外筒スリーブ１８５の下端縁１８５ａ）までで定まる水量とする。しかも、この洗浄水水量を、外筒スリーブ１８５の上下摺動という単純かつ簡便な操作によるエア流入孔１３４の開口部上端位置の変更を通して調整できる。こうした外筒スリーブ１８５の上下摺動作業は、ボールタップ１０１ａを含む洗浄水給水系機構に関係なく実行できる。この結果、大洗浄時における洗浄水水量の調整をするための便器メンテナンスの簡略化を図ることができると共に、便器設置場所でのメンテナンス作業が簡便となる。
【００７０】
また、本実施例では、大洗浄時の洗浄水水量の調整を上記したように実行するに当たり、外筒スリーブ１８５の上下摺動を経たエア流入孔１３４の開口部上端位置変更を行えば済み、満水水位を変更する必要がない。よって、満水時の洗浄水タンク１００の満水水位をほぼ一定にできる。このため、タンク内洗浄水を大便器１０に排水する際の水頭圧に、大きな変動を来さない。従って、大便器１０へは、ほぼ同じ水頭圧で洗浄水を給水できるので、大便器１０では、便器洗浄開始時の洗浄水挙動を大きく乱さない。この結果、水頭圧増大に起因する水はねを起こさないようにでき、便器周囲の水濡れを回避できる。また、水頭圧低減に起因した洗浄能力の低下も抑制でき、好適に便器洗浄を実行できる。
【００７１】
本実施例では、弁体１１２が閉弁した便器洗浄後では、ボールタップ１０１ａ等により洗浄水を補給する際、補給洗浄水を、スリーブ１２４下端の脚１２４ａ間の開口およびエア流入孔１３４からスリーブ内部に補給洗浄水を進入させる。しかも、こうした洗浄水進入の際、貫通孔１２８は開口状態であることから、洗浄水進入をスムーズに行い、スリーブ内部を補給洗浄水で自然に満たすことができる。よって、スリーブ内の満水化も簡便であると共に、次回の洗浄時においてもスリーブ浮沈領域でのフロート１２２の浮沈状態を再現できる。このため、洗浄水排水時の洗浄水水量の再現性が高まる。
【００７２】
また、本実施例では、外筒スリーブ１８５の下端縁１８５ａで定まるエア流入孔１３４の開口部上端位置は、無段階に上下する。よって、洗浄水水量調整も無段階に行うことができる。
【００７３】
上記した実施例は、小洗浄と大洗浄を併用した場合を例に挙げ説明したが、洗浄形態が大洗浄しかない便器にも適用できる。このようにする場合は、小洗浄実行のための機構、例えば、シフト量調整機構１４８やこれに含まれる駒１４９、回動規制プレート１５０等を省略し、洗浄ボタンが操作されれば、弁体１１２のリフトと共に、貫通孔１２８をフロート１２２で閉塞するよう、構成すればよい。
【００７４】
上記したように、排水弁装置１１０では、フロート１２２を介した貫通孔１２８の閉塞維持とその解除を行うことで、大洗浄時の弁体１１２の開弁維持・その後の閉弁を行うことができる。よって、洗浄水排水と排水停止をフロート単体の挙動で司ることができ、フロート以外の弁機構を要しない。このため、本実施例の排水弁装置１１０によれば、弁構成の簡略化を図ることができると共に、組み付け製造作業の簡便化や、コスト低下を図ることができる。
【００７５】
次に、上記した排水弁装置１１０の変形例について説明する。図１４は変形例の排水弁装置１１０Ａを説明する説明図である。この変形例は、上部貯水部１３０の貯め置く洗浄水水量を調整できる点に特徴がある。
【００７６】
図示するように、排水弁装置１１０Ａは、スリーブ１２４の上端側に、上端外筒スリーブ１８５Ａを有する。この上端外筒スリーブ１８５Ａは、シールリング１８６を介してスリーブ１２４に装着されており、このスリーブに対して上下に摺動する。従って、この変形例の排水弁装置１１０Ａでは、上端外筒スリーブ１８５Ａの上下位置を調整することで、上部貯水部１３０が貯め置く洗浄水水量を調整できる。よって、次のような利点がある。なお、この変形例では、上端外筒スリーブ１８５Ａそのものを上部貯水部１３０の周囲壁とできるので、図１４に示すように、蓋体１２６をスリーブ１２４の最上端に設けるようにしてもよい。
【００７７】
スリーブ１２４内が洗浄水で満たされてフロート１２２が浮上して閉塞シール１２３により貫通孔１２８を閉塞した場合、既述したように貫通孔１２８の閉塞が不十分で閉塞箇所に隙間があると、この隙間からの洗浄水の漏洩が起きる。そして、この漏洩が起きている間は、貫通孔１２８によるスリーブ内の大気解放は起きず、フロート１２２を介した貫通孔１２８の閉塞も維持できる。こうして洗浄水の漏洩と貫通孔１２８の閉塞維持が起きている間にあっても、排水口１０８からのタンク内洗浄水の排水に伴いタンク内水位は低下する（図１０（ｂ）参照）。こうした状況が継続すると、タンク内水位がエア流入孔１３４の開口部上端位置に達してスリーブ内にエアが流入する状況（エア流入状況）と、上部貯水部１３０の総ての残存洗浄水が漏洩して空になる状況（漏洩終了状況）が現れる。
【００７８】
この両状況のうち、エア流入状況はタンク内水位の低下の様子に依存したタイミングで起き、漏洩終了状況は漏洩の様子（漏洩水量、残存洗浄水水量）に依存したタイミングで起きる。漏洩水量は上記の隙間に変化が無ければ一定と仮定できるので、残存洗浄水水量、即ち上部貯水部１３０の貯め置き洗浄水水量を調整することで、漏洩終了状況のタイミングを調整できる。具体的には、貯め置き洗浄水水量を少なくすれば、漏洩が短時間で終了するので、漏洩終了状況は早く起き、洗浄水水量が多ければ遅く起きる。
【００７９】
このため、漏洩終了状況をエア流入状況より遅らせれば、タンク内水位がエア流入孔１３４に達する以前に、貫通孔１２８を経て空気がスリーブ内に入り込むことはない。よって、エア流入孔１３４を通したエア流入状況の発現を待ってからしか既述したような弁体１１２の閉弁を起きないようにできるので、開弁した弁体１１２を閉弁する大洗浄の都度のタイミングをほぼ一定にでき、洗浄水水量の再現性が高まる。
【００８０】
また、漏洩終了状況をエア流入状況より早めれば、貫通孔１２８からスリーブ内部へのエアの入り込みによるスリーブ内の大気解放が、タンク内水位がエア流入孔１３４に達する以前に確実に起きる。よって、タンク内水位がエア流入孔１３４の開口部上端位置に達する以前において、弁体閉弁を確実に実行できる。このため、小洗浄時の洗浄水水量を大洗浄時より常に少なくできると共に、その再現性も高まる。
【００８１】
また、次の利点がある。
タンク内水位がエア流入孔１３４の開口部上端位置に達して上記のエア流入状況が起きるまでの時間（水位降下時間）は、排水口１０８の開口面積により長短調整できる。ところが、排水口１０８はタンク底面壁の開口であることから開口面積調整は困難である。しかし、この変形例の排水弁装置１１０Ａでは、上端外筒スリーブ１８５Ａの上下摺動という簡単な調整で、上記の漏洩終了状況が起きるまでの漏洩時間を簡便に長短調整できる。よって、この変形例の排水弁装置１１０Ａによれは、水位降下時間と漏洩時間の長短調整を容易に行うことができる。
【００８２】
上部貯水部１３０の貯め置き洗浄水水量の調整は、タンク装置や便器の工場出荷時や保守点検時に、タンク満水水位等に応じて行えばよい。また、使用済みの排水弁装置１１０Ａを回収してリサイクル利用する際には、新たに装着されるタンクに併せて貯め置き洗浄水水量を調整できるので、再利用性も高まる。
【００８３】
また、上部貯水部１３０の貯め置き洗浄水水量の調整を経た漏洩時間の調整を、この変形例の排水弁装置１１０Ａが適用される洗浄水タンクや便器の求め（例えば、洗浄水水量規定等）に応じて行うことができる。よって、適用の汎用性を高めることができる。
【００８４】
このように上部貯水部１３０での貯め置き量を調整可能とするに当たり、次のように変形することもできる。図１５は他の変形例の排水弁装置１１０Ｂを説明する説明図である。図示するように、この排水弁装置１１０Ｂは、上部貯水部１３０の周囲壁１３０ａを上記のものに比べて高く有する。この周囲壁１３０ａには、蓋体１２６からの高さが異なる位置に複数の壁面貫通孔１８７が配設されている。或いは、周囲壁１３０ａに上下に切り欠かれた切欠溝１８８が形成されている。なお、壁面貫通孔１８７や切欠溝１８８は、周囲壁１３０ａに等ピッチ（例えば周方向４５度ピッチ）で形成されている。そして、この排水弁装置１１０Ｂは、上端外筒スリーブ１８５Ａを上下に摺動することで、未閉塞で最下段に位置する壁面貫通孔１８７を変更したり、切欠溝１８８における開孔長１８８ａを変更する。このような構成の排水弁装置１１０Ｂにあっても、上部貯水部１３０での貯め置き洗浄水量を調整できるので、上記の排水弁装置１１０Ａと同様の効果を奏することができる。
【００８５】
次に、他の変形例について説明する。図１６は他の変形例の排水弁装置の要部を説明するための説明図である。この変形例は、上部貯水部１３０が貯め置いた洗浄水がスリーブ外側に流れ落ちる状況を調整できる点に特徴がある。
【００８６】
図示するように、この変形例では、上部貯水部１３０を取り囲む周囲壁１３０ａは、その周りに壁面貫通孔１９０を等ピッチ（例えば周方向４５度ピッチ）で有する。また、上部貯水部１３０には、その内壁に密着して帯状リング１９１が組み込まれている。この帯状リング１９１の組み込みの際には、その組み込み高さ位置を調整することで、壁面貫通孔１９０全体の開口面積が調整される。なお、壁面貫通孔１９０のいくつかを埋め栓等で塞いで、壁面貫通孔１９０全体の開口面積を調整することもできる。
【００８７】
また、この帯状リング１９１を、周囲に貫通孔１９２ａを有する帯状リング１９２に替えることもできる。この帯状リング１９２では、自身の貫通孔１９２ａと壁面貫通孔１９０の重なり状態によっても、壁面貫通孔１９０全体の開口面積を調整できる。なお、図では、帯状リング１９２を二つの貫通孔１９２ａを有するものとしたが、これに限らず、周囲壁１３０ａの壁面貫通孔１９０と同数とすることや、貫通孔１９２ａを横長形状とすることなどもできる。また、壁面貫通孔１９０についても、図中二点鎖線で示すような長孔状の開口１９０ａとすることもできる。更には、帯状リングを周囲壁１３０ａ外周に装着するようにすることもできる。
【００８８】
こうした開口面積の調整により上部貯水部１３０の貯め置いた洗浄水の流れ落ちの状況を調整できることから、次のような利点がある。
上部貯水部１３０は、図５等に示すように、洗浄待機の時にタンク内洗浄水に水没して洗浄水を貯め置く。この上部貯水部１３０は、タンク内水位低下に伴って水面に露呈し、タンク内水位が壁面貫通孔１９０の開口箇所にまで達すると、その後の水位低下の際に、貯め置き洗浄水は上部貯水部１３０から外部にこの壁面貫通孔１９０から流れ出す。最終的には、上部貯水部１３０は、壁面貫通孔１９０の開口状態で定まる量だけを貯め置く。壁面貫通孔１９０全体での開口面積が狭ければ、この洗浄水流出は少流量で起き、面積が広ければ多流量で起きるので、上部貯水部１３０が満水の状況から最終的な貯め置き状況になるまでの経過時間に長短が起きる。従って、こうした面積調整によっても、洗浄開始からの上記貯め置き洗浄水の漏洩時間を調整できるので、上記の水位降下時間と漏洩時間の長短調整の幅が広がる。
【００８９】
また、この貫通孔開口面積調整を経た漏洩時間の調整を、この変形例の排水弁装置が適用される洗浄水タンクや便器の求め（例えば、洗浄水水量規定等）に応じて行うことができる。よって、適用の汎用性を高めることができると共に、再利用効率も高まる。
【００９０】
次に、フロート１２２による貫通孔閉塞の変形例について説明する。図１７は貫通孔閉塞の状態を異なるものとした変形例の排水弁装置１１０Ｃの要部を概略的に示す斜視図である。この排水弁装置１１０Ｃは、蓋体１２６の貫通孔形成の様子に特徴がある。
【００９１】
図示するように、この排水弁装置１１０Ｃは、蓋体１２６に、貫通孔１２８とその周りに等ピッチで形成された補助貫通孔１２８ａを有する。貫通孔１２８は、中空シャフト１１４をほぼガタ無く貫通配置できるような径のものとされている。こうした構成の排水弁装置１１０Ｃでは、図中点線で示すフロート１２２が蓋体１２６の下面まで浮上した場合、貫通孔１２８と補助貫通孔１２８ａが共にこのフロート１２２により閉塞される。こうした閉塞が起きた以降にあっては、エア流入孔１３４の開口部上端位置からのエア流入が起きた後に、この流入エアが貫通孔１２８と補助貫通孔１２８ａとを通過してスリーブ内の大気解放を起こす。これにより、既述したように弁体１１２が閉弁する。
【００９２】
この変形例の排水弁装置１１０Ｃでは、次の利点がある。
補助貫通孔１２８ａは、埋め栓等で選択的に閉塞可能であり、蓋体１２６における未閉塞の補助貫通孔１２８ａの総面積を変更できる。この未閉塞の補助貫通孔１２８ａは、上部貯水部１３０の貯め置き洗浄水の既述した漏洩を起こす孔となり、未閉塞補助貫通孔の総面積はこの漏洩程度（漏洩時間）に影響を及ぼす。よって、補助貫通孔１２８ａの閉塞状態（例えば、閉塞個数や閉塞面積）を調整することで、既述したように水位降下時間と漏洩時間の長短調整を容易に行うことができ、これにより洗浄水排水量の調整や、排水弁装置の再利用性、汎用性を高めることができる。
【００９３】
なお、上記したそれぞれの弁装置において、弁体１１２を背圧利用によりその閉弁の確実性を図るようにしてもよい。図１８は弁体１１２の周辺を断面視すると共に下端方向から矢視して弁体１１２を示す説明図である。
【００９４】
図示するように、中空シャフト１１４下端のフランジ１１４ｆは、その下面周縁に亘って段差部１１４ｇを有する。弁体１１２は、周縁に切欠１１２ｔを有する。こうした構成の弁体１１２が段差部１１４ｇの降下に伴って閉弁する際、段差部１１４ｇにはその周囲や切欠１１２ｔからスリーブ内の洗浄水が入り込む。従って、弁体１１２は、段差部１１４ｇに入り込んだ水（スリーブ内の洗浄水）からの背圧を受けた状態で閉弁するので、閉弁の信頼性を高めることができる。
【００９５】
また、上記したそれぞれの弁装置においては、エア流入孔１３４を長孔状としスリーブ１２４の下端に等ピッチで複数設けたが、単独の長孔状のエア流入孔１３４とすることもできる。また、次のように変形することもできる。図１９は変形例のエア流入孔１３４を有する排水弁装置１１０を側面視して説明する説明図である。
【００９６】
図示するように、この変形例では、スリーブ１２４は、長孔状のエア流入孔１３４を一つ備え、外筒スリーブ１８５は、このエア流入孔１３４と交差する斜めのスリット１８５ｂを有する。この変形例では、既述したエア流入位置は、エア流入孔１３４とスリット１８５ｂの交差箇所となり、当該交差箇所の上端にタンク水位が達すると、スリーブ内へのエア流入を経て大気解放を起こす。そして、外筒スリーブ１８５を回転することで、エア流入孔１３４とスリット１８５ｂの交差箇所を上下に位置変更することができる。従って、外筒スリーブ１８５の回転位置調整により、上記した実施例同様、洗浄水水量を変更調整できる。しかも、この交差位置変更は無段階に行えるので、洗浄水水量調整も無段階に行うことができる。なお、上下に延びるエア流入孔１３４と斜めのスリット１８５ｂを複数箇所、例えば図示する位置と反対側（紙面奥側）にも設けるようにすることもできる。
【００９７】
また、図１９に示す弁装置を更に変形することもできる。図２０はまた別の変形例のエア流入孔１３４を有する排水弁装置１１０を側面視して説明する説明図である。
【００９８】
図示するように、この変形例では、外筒スリーブ１８５は、複数の開口１８５ｃをその周壁に斜めの軌跡で点在させて有し、既述したエア流入位置を、エア流入孔１３４とそれぞれの開口１８５ｃの合致箇所とする。この合致箇所の上端（即ち、開口１８５ｃの上端）にタンク水位が達すると、スリーブ内のエア流入を経て大気解放を起こす。そして、外筒スリーブ１８５を回転することで、エア流入孔１３４と開口１８５ｃの合致箇所を上下に位置変更することができる。従って、この変形例にあっても、外筒スリーブ１８５の回転位置調整により、洗浄水水量を変更調整できる。しかも、この変形例では、上記の合致位置変更を開口１８５ｃの形成位置に応じて段階的に行うので、洗浄水水量調整を段階的に行うことができる。なお、上下に延びるエア流入孔１３４と斜めの軌跡に沿った開口１８５ｃの列を、図示する位置と反対側（紙面奥側）にも設けるようにすることもできる。
【００９９】
次に、他の実施例について説明する。この実施例は、大小洗浄を行う際、小洗浄時における洗浄水水量調整を大気解放タイミング調整を経て行う点に特徴がある。図２１は第２実施例の排水弁装置２００の構成を中央縦断面視して表す説明図である。なお、説明の便宜上、先の実施例と同一の作用をなす部材についてはそのままの名称と符号を用いてその説明を省略し、異なる構成について詳述する。
【０１００】
図示するように、排水弁装置２００は、洗浄水タンク底部における排水弁配設部１０７の開口１０７ａに弁座スリーブ１０７ｂを挿入し、図示しないボルト等の固定具でこの開口１０７ａに装着・固定されている。なお、固定に際しては、シールリング１０７ｄを介在させ、開口１０７ａとの水密化が図られている。
【０１０１】
排水弁装置２００は、排水口１０８を形成する弁座スリーブ１０７ｂの上縁を凸状とした弁座１０９に、中空シャフト１１４下端の弁体１１２を当接させる。この弁体１１２を閉弁動作させるための本実施例のフロート機構１２０にあっても、中空シャフト１１４と一体のフロート１２２をスリーブ１２４で取り囲んで、フロート浮沈領域を形成する。
【０１０２】
本実施例のフロート１２２にあっても、有底の筒状体をその開口側が下方となるよう倒立姿勢を採り、内部に空気を残存させた状態でタンク内洗浄水に水没している。これにより、フロート１２２は、フロート浮力を中空シャフト１１４を介して弁体１１２に及ぼして弁体１１２の開弁を維持する。
【０１０３】
フロート１２２の有底部上端の閉塞シール１２３は、フロート１２２の浮上に伴いスリーブ１２４の貫通孔１２８をその下方側から閉塞して、貫通孔１２８における気液の流通を遮蔽する。この場合、閉塞シール１２３は、スリーブ１２４上端の蓋体１２６におけるエッジ部１２６ａに当接して、貫通孔１２８を閉塞する。
【０１０４】
排水弁装置２００は、上記した実施例と異なり、スリーブ１２４を外側スリーブ２１０に挿入させており、両スリーブ間をシールリング２０２でシールしている。スリーブ１２４は、その下端側の脚１２４ａの上縁を外側スリーブ２１０のストッパとし、外側スリーブ２１０は、その下端側に係合片２１２を有する。この係合片２１２は、可撓性を発揮し、スリーブ１２４の下端外周を押さえつけることで、スリーブ１２４と外側スリーブ２１０を係合する。本実施例では、スリーブ１２４の脚間開口を、大洗浄時にスリーブ内の大気解放・弁体閉弁を行うためのエア流入孔として機能させる。その様子は、後述する。
【０１０５】
なお、図示するように、この実施例にあっても、スリーブ１２４の上端側は、洗浄待機時にあってタンク内洗浄水を貯め置く上部貯水部１３０とされている。また、中空シャフト１１４は、その上端からタンク内のオーバーフロー洗浄水を排水口１０８に導き、図示しない給水機構と相俟ってタンク内の満水水位を規定する。
【０１０６】
図２２は外側スリーブ２１０を取り外してスリーブ１２４を側面視して説明する説明図である。図示するように、本実施例では、スリーブ１２４は、その周壁に、斜めに形成したエア流入孔１３４を有する。このエア流入孔１３４は、スリーブ内の大気解放・弁体閉弁を行うために機能するが、本実施例では、後述するように小洗浄時にこうした機能を発揮するようにされている。
【０１０７】
次に、この排水弁装置２００が有する開弁機構２２０について説明する。図２３は開弁機構２２０の要部を概略的に斜視して表す説明図、図２４は開弁機構２２０の構成並びにその動作を説明するための説明図、図２５は図２１の２５−２５線に沿って断面視して開弁機構２２０の構成並びにその動作を説明する説明図である。
【０１０８】
これら図面に示すように、開弁機構２２０は、外側スリーブ２１０の上端側に位置し、外側スリーブ２１０の周壁から延びたボタン収納壁２２２を有する。このボタン収納壁２２２には、大洗浄押圧駒２２３と小洗浄押圧駒２２４がそれぞれスプリング２２５で上方に付勢されて組み込まれている。これら各押圧駒の上方に当たるタンク上壁には、図示しない大洗浄押圧ボタンと小洗浄押圧ボタンが組み込まれており、これら両押圧ボタンは、使用者に押圧操作されると、該当する押圧駒を下方に押し下げ、操作後には元の位置に戻るようにされている。押圧駒は、スプリング２２５により元の位置に復帰する。
【０１０９】
ボタン収納壁２２２は、その対向する壁でリンク片２２６を回動自在に支持する。リンク片２２６は、中空シャフト１１４の側に延びた一対のリンク腕２２７で中空シャフト１１４を支持し、リンク作用片２２８を上記の大洗浄押圧駒２２３、小洗浄押圧駒２２４の下面側に延ばしている。従って、上記したようにタンク上壁の大洗浄押圧ボタン或いは小洗浄押圧ボタンが使用者に押圧されると、該当する押圧駒は、リンク作用片２２８を図中矢印で示すように押し下げる。これにより、リンク腕２２７は、図中矢印に示すように回動し、中空シャフト１１４を持ち上げるので、弁体１１２は弁座１０９から離れて排水口１０８を開弁する。これにより、タンク内洗浄水の排水（便器への給水）が開始される。
【０１１０】
本実施例では、開弁機構２２０の大洗浄押圧駒２２３と小洗浄押圧駒２２４のいずれの場合であっても、中空シャフト１１４をその上昇端位置、即ち、フロート１２２上端の閉塞シール１２３がエッジ部１２６ａに当接して貫通孔１２８を閉塞する位置まで上昇させる。なお、リンク腕２２７と係合する中空シャフト１１４の係合孔２２９は長孔状とされているので、リンク腕２２７の回動動作により、中空シャフト１１４は支障なく上昇する。
【０１１１】
開弁機構２２０は、大小洗浄を使い分けるため、以下の構成を有する。ボタン収納壁２２２の下端壁２３０には、エア流入のための開口２３１が空けられ、当該開口の下方には、エア通気部２３２が形成されている。このエア通気部２３２は、外側スリーブ２１０の周壁から凸状に盛り上がるよう形成されており（図２１、２５参照）、その内部を開口２３１に連通するエア通気路２３３とする。エア通気部２３２は、スリーブ１２４に対して上下方向に延び、長孔状の切欠２３４を介して、スリーブ１２４のエア流入孔１３４と交差する。この場合、エア通気部２３２には、切欠２３４を取り囲むようシールリング２３５が組み込まれているので、エア通気部２３２とエア流入孔１３４の交差箇所で、スリーブ１２４の内部へのエア流入を起こす。
【０１１２】
スリーブ１２４は、上記の開弁機構２２０が設けられた外側スリーブ２１０に対して回転可能であることから、スリーブ１２４の回転位置調整により、エア通気部２３２とエア流入孔１３４の交差箇所の位置を上下に調整できる。つまり、この実施例では、既述したエア流入位置が上記の交差箇所となり、その上端位置を、スリーブ高さ方向において変更できる。そして、この交差箇所上端にタンク水位が達すると、スリーブ内へのエア流入を経てスリーブ１２４内部の大気解放を起こし、この大気解放タイミングは、上記の交差箇所の上下調整により、変更される。
【０１１３】
開弁機構２２０は、上記したエア通気路２３３を介したスリーブ内の大気解放を小洗浄時のみに起こすよう、エア通気路２３３上端の開口２３１を次のように開閉する。開弁機構２２０は、下端壁２３０の上面側に開口閉鎖駒２４０を備える。開口閉鎖駒２４０は、シーソー状に作動するよう支持されており、その支持部左右の重量配分により、フリー状態では開口２３１を解放する姿勢を採る。そして、この開口閉鎖駒２４０は、図２４に二点鎖線で示すように、大洗浄押圧駒２２３の下面から延びた押圧シャフト２４１により押され、開口２３１を閉鎖する。小洗浄押圧駒２２４は、こうした押圧シャフトを備えず、開口閉鎖駒２４０の駆動に関与しない。よって、開口２３１は、大洗浄ボタンの操作がされ、大洗浄押圧駒２２３が押し下げられた場合に限り、開口閉鎖駒２４０により閉鎖される。
【０１１４】
ここで、大小洗浄時の弁駆動の様子を、大洗浄・小洗浄の順に説明する。大洗浄ボタンの操作がされると、大洗浄押圧駒２２３は押し下げられる。こうなると、開弁機構２２０は、リンク作用片２２８の押し下げを経て、リンク腕２２７を回動させ、中空シャフト１１４を上昇端位置まで上昇させる。これにより、弁体１１２は排水口１０８を開弁して洗浄水排水が始まり、タンク内水位は、洗浄水排水に伴い低下する。この場合、フロート１２２は、閉塞シール１２３でスリーブ１２４上端側の貫通孔１２８を閉塞する。
【０１１５】
開弁機構２２０は、こうした弁体開弁動作と共に、開口閉鎖駒２４０により開口２３１を閉鎖する。よって、エア通気部２３２は、タンク内洗浄水で満たされて、通気部上端の開口２３１が閉塞された状態となる。
【０１１６】
上記したように洗浄水排水に伴いタンク内水位が低下し、その水位が開口２３１を下回ったとする。この状態では、貫通孔１２８の閉塞によりスリーブ１２４の内部は洗浄水で満たされ、エア通気部２３２にあっても、開口２３１の閉塞により洗浄水で満たされている。このため、エア通気部２３２の内外では、当該通気部の外側でタンク水位が低くなるので、エア通気部２３２の内部には負圧が働き、開口閉鎖駒２４０による開口２３１の閉塞は維持される。つまり、開口閉鎖駒２４０を開口閉鎖側に駆動した押圧シャフト２４１は、大洗浄押圧駒２２３の復帰に伴い開口閉鎖駒２４０から離れるが、開口閉鎖駒２４０は、上記した負圧作用により、開口２３１を閉塞したままとする。
【０１１７】
タンク内水位が更に低下し、当該水位がスリーブ１２４下端の脚１２４ａの間の間隙に達すると、この脚間間隙を通ってスリーブ外側から内側にエアが流入し、スリーブ内は大気解放される。よって、スリーブ内を満たしていた洗浄水は、このエアのスリーブ内流入に伴い排水口１０８を経てスリーブ内から排水される。この際、エア通気部２３２にあっても、エア流入孔１３４との交差箇所を経てエアが流入するので、エア通気部２３２内の洗浄水も排水される。そして、フロート１２２は、スリーブ内洗浄水の排水に伴いスリーブ内水面に従って下降し、既述したように、弁体１１２は弁座１０９の側に下降して排水口１０８を閉弁する。これにより、大洗浄時におけるタンク内洗浄水の排水（便器への給水）は終了する。この段階で、開口閉鎖駒２４０には上記した負圧作用が働かなくなるので、開口閉鎖駒２４０は上記のように支持部左右の重量配分により開口２３１を開放した状態へと移行する。
【０１１８】
小洗浄ボタンの操作がされた場合は、小洗浄押圧駒２２４の押し下げを経て、開弁機構２２０により、中空シャフト１１４はその上昇端位置まで上昇し、洗浄水排水が開始される。この小洗浄の場合は、既述したように開口閉鎖駒２４０は駆動しないので、開口２３１は解放状態のままである。
【０１１９】
その後、洗浄水排水に伴いタンク内水位が低下し、その水位が開口２３１を下回ったとする。この状態では、スリーブ１２４の側では、大洗浄時と同様、貫通孔１２８の閉塞によりスリーブ１２４の内部は洗浄水で満たされたままである。しかし、エア通気部２３２の側では、開口２３１が解放されていることから、エア通気部２３２の内外でタンク水位は同じとなり、エア通気路２３３でもタンク水位は低下する。
【０１２０】
タンク内水位が更に低下すると、この水位低下に伴いエア通気路２３３の水位も低下する。このエア通気路水位が、エア通気路２３３とエア流入孔１３４の交差箇所の上端に達すると、スリーブ内へは、エア通気部２３２の開口２３１およびエア通気路２３３を経てエアが流入する。よって、スリーブ１２４の内部は大気解放され、スリーブ内を満たしていた洗浄水は、排水口１０８を経て排水される。そして、フロート１２２は、スリーブ内洗浄水の排水に伴いスリーブ内水面に従って下降し、既述したように、弁体１１２は弁座１０９の側に下降して排水口１０８を閉弁する。これにより、小洗浄時におけるタンク内洗浄水の排水（便器への給水）は終了する。
【０１２１】
このように、本実施例では、大洗浄にあっては、スリーブ１２４下端の脚間間隙で、定量の洗浄水を便器に排水する。一方、小洗浄にあっては、スリーブ１２４を外側スリーブ２１０に対して回転することで、エア通気路２３３とエア流入孔１３４の交差箇所を上下に位置変更することができる。従って、スリーブ１２４の回転位置調整により、小洗浄時にあっては、上記した実施例同様、洗浄水水量を無段階に変更することができる。この結果、先の実施例と同様の効果、例えば洗浄水水量調整のための便器メンテナンスの簡略化や作業の簡便化等の効果を奏することができる。
【０１２２】
上記した第２実施例は、次のように変形することができる。図２６は外側スリーブ２１０を取り外して変形例のスリーブ１２４を側面視して説明する説明図である。図示するように、この変形例では、スリーブ１２４は、複数のエア流入孔１３４ａをその周壁に斜めの軌跡で点在させて有し、既述したエア流入位置を、エア通気路２３３とそれぞれのエア流入孔１３４ａとの合致箇所とする。この合致箇所の上端（即ち、各エア流入孔上端）にタンク水位が達すると、小洗浄時におけるスリーブ内のエア流入を経て大気解放を起こす。そして、スリーブ１２４を回転することで、エア通気路２３３とエア流入孔１３４ａの合致箇所を上下に位置変更することができる。従って、この変形例にあっても、スリーブ１２４の回転位置調整により、小洗浄時における洗浄水水量を変更調整できる。しかも、この変形例では、上記の合致位置変更をエア流入孔１３４ａの形成位置に応じて段階的に行うので、洗浄水水量調整を段階的に行うことができる。
【０１２３】
以上本発明の実施例について説明したが、本発明は上記の実施例や実施形態になんら限定されるものではなく、本発明の要旨を逸脱しない範囲において種々なる態様で実施し得ることは勿論である。
【０１２４】
例えば、上記実施例では、フロート１２２を中空シャフト１１４に一体化した場合について説明したが、次のようにすることもできる。図２７はまた別の変形例の排水弁装置３００を模式的に示す説明図である。
【０１２５】
図示するように、この変形例の排水弁装置３００は、有底の筒状体３０２を倒立状態でタンク内に保持固定して有する。そして、この排水弁装置３００は、上下摺動する外筒スリーブ１８５で、スリーブ周壁のエア流入孔１３４の開口部上端位置を変更する。筒状体３０２の底部には、貫通孔３０３が円周上等ピッチで配置するよう形成されている。この筒状体３０２には、フロート３０４を組み入れ、フロート浮力を浮力伝達部材３０６を使って弁体３０８に掛ける。弁体３０８は、排水口３１０を開閉するよう軸支部材３１２で回動支持されている。
【０１２６】
今、図示しないレバー等が操作されチェーン３１４で弁体３０８が持ち上げられると、排水口３１０は開口してタンク内洗浄水を排水する。これと同時に、フロート３０４は、筒状体３０２内を浮上してその有底部に達し、貫通孔３０３を閉塞する。この閉塞状態は、フロート浮力を受けるフロート３０４で維持される。また、フロート浮力は浮力伝達部材３０６で弁体３０８の開弁側に作用するので、この弁体開弁も維持される。
【０１２７】
今、排水口３１０からの洗浄水排水に伴いタンク内水位が低下し、当該水位が外筒スリーブ１８５の下端縁１８５ａで規定されるエア流入孔１３４の開口部上端位置に達すると、筒状体３０２内にエアが流入する。そうすると、この流入エアは貫通孔３０３を貫通して筒状体３０２内部の大気解放を引き起こす。これにより、フロート低下を来すので、既述した実施例と同様に、弁体３０８は閉弁する。よって、この排水弁装置３００によっても、洗浄水水量調整のための便器メンテナンスの簡略化や作業の簡便化等といった上記実施例と同様の効果を奏することができる。
【０１２８】
また、排水弁装置を便器に適用した実施例およびその変形例として説明したが、便器にその適用が限られるわけではなく、簡易シャワーや種々の液体給排水装置に適用できる。
【０１２９】
更には、排水弁装置１１０等において蓋体１２６の上方に上部貯水部１３０を設けるようにしたが、この上部貯水部１３０を有せず、蓋体１２６でスリーブ最上端を塞ぐようにすることもできる。また、洗浄水タンク１００についても、図１に示すような形状に限られるものではなく、箱形等の単純な形状のタンクとすることもできる。
【図面の簡単な説明】
【図１】実施例の大便器１０を表す概略斜視図である。
【図２】大便器１０の正面を一部破断して示す正面図である。
【図３】大便器１０の側面を一部破断して示す側面図である。
【図４】この大便器１０が有する洗浄水タンク１００の底面の様子を説明するための説明図である。
【図５】排水弁装置１１０の構成を図１の５−５線に沿って断面視して表す説明図である。
【図６】図５の６−６線断面図である。
【図７】図５の７−７線断面図である。
【図８】この内部スリーブ１２２ｂでフロート１２２の内容積を可変する様子を説明するための説明図である。
【図９】排水弁装置１１０の要部を側面視して説明する説明図である。
【図１０】大洗浄押圧ボタン１４２を押圧操作した大洗浄時の前半部分における洗浄水排水の様子と各部材の挙動を表す説明図である。
【図１１】大洗浄時の後半部分における洗浄水排水の様子と各部材の挙動を表す説明図である。
【図１２】小洗浄押圧ボタン１４４を押圧操作した小洗浄時の前半部分における洗浄水排水の様子と各部材の挙動を表す説明図である。
【図１３】小洗浄時の後半部分における洗浄水排水の様子と各部材の挙動を表す説明図である。
【図１４】変形例の排水弁装置１１０Ａを説明する説明図である。
【図１５】他の変形例の排水弁装置１１０Ｂを説明する説明図である。
【図１６】他の変形例の排水弁装置の要部を説明するための説明図である。
【図１７】貫通孔閉塞の状態を異なるものとした変形例の排水弁装置１１０Ｃの要部を概略的に示す斜視図である。
【図１８】弁体１１２の周辺を断面視すると共に下端方向から矢視して弁体１１２を示す説明図である。
【図１９】変形例のエア流入孔１３４を有する排水弁装置１１０の要部を側面視して説明する説明図である。
【図２０】また別の変形例のエア流入孔１３４を有する排水弁装置１１０の要部を側面視して説明する説明図である。
【図２１】第２実施例の排水弁装置２００の構成を中央縦断面視して表す説明図である。
【図２２】外側スリーブ２１０を取り外してスリーブ１２４を側面視して説明する説明図である。
【図２３】開弁機構２２０の要部を概略的に斜視して表す説明図である。
【図２４】開弁機構２２０の要部を断面視してその構成並びにその動作を説明するための説明図である。
【図２５】図２１の２５−２５線に沿って断面視して開弁機構２２０の構成並びにその動作を説明する説明図である。
【図２６】外側スリーブ２１０を取り外して変形例のスリーブ１２４を側面視して説明する説明図である。
【図２７】また別の変形例の排水弁装置３００を模式的に示す説明図である。
【符号の説明】
１０…大便器
１１…便器本体部
１１ａ…便座
１１ｂ…便蓋
１２…便器ボール部
１４…リム
１００…洗浄水タンク
１０１ａ…ボールタップ
１０１ｂ…洗浄水給水機構
１０２…後部タンク部
１０３…底面壁
１０３ａ…傾斜記号
１０４…側方タンク部
１０５…底面壁
１０５ａ…傾斜記号
１０６…蓋体
１０７…排水弁配設部
１０７ａ…開口
１０７ｂ…弁座スリーブ
１０７ｃ…固定具
１０７ｄ…シールリング
１０８…排水口
１０９…弁座
１１０、１１０Ａ〜１１０Ｃ…排水弁装置
１１２…弁体
１１２ｔ…切欠
１１４…中空シャフト
１１４ｆ…フランジ
１１４ｇ…段差部
１１５…オーバーフロー孔
１１６…リフト規制孔
１２０…フロート機構
１２２…フロート
１２２ａ…筒状体
１２２ｂ…内部スリーブ
１２２ｃ…シールリング
１２３…閉塞シール
１２４…スリーブ
１２４ａ…脚
１２６…蓋体
１２６ａ…エッジ部
１２８…貫通孔
１２８ａ…補助貫通孔
１２９…貫通孔突起
１３０…上部貯水部
１３０ａ…周囲壁
１３２…内壁凸条
１３４…エア流入孔
１３４ａ…エア流入孔
１４０…上昇動作係合具
１４２…大洗浄押圧ボタン
１４３…大洗浄リンク片
１４４…小洗浄押圧ボタン
１４５…小洗浄リンク片
１４６…係合腕
１４８…シフト量調整機構
１４９…駒
１５０…回動規制プレート
１８５…外筒スリーブ
１８５Ａ…上端外筒スリーブ
１８５ａ…下端縁
１８５ｂ…スリット
１８５ｃ…開口
１８６…シールリング
１８７…壁面貫通孔
１８８…切欠溝
１８８ａ…開孔長
１９０…壁面貫通孔
１９０ａ…開口
１９１…帯状リング
１９２…帯状リング
１９２ａ…貫通孔
２００…排水弁装置
２０２…シールリング
２１０…外側スリーブ
２１２…係合片
２２０…開弁機構
２２２…ボタン収納壁
２２３…大洗浄押圧駒
２２４…小洗浄押圧駒
２２５…スプリング
２２６…リンク片
２２７…リンク腕
２２８…リンク作用片
２２９…係合孔
２３０…下端壁
２３１…開口
２３２…エア通気部
２３３…エア通気路
２３４…切欠
２３５…シールリング
２４０…開口閉鎖駒
２４１…押圧シャフト
３００…排水弁装置
３０２…筒状体
３０３…貫通孔
３０４…フロート
３０６…浮力伝達部材
３０８…弁体
３１０…排水口
３１２…軸支部材
３１４…チェーン
【図１】
0004069704.tif 000002
【図２】
0004069704.tif 000003
【図３】
0004069704.tif 000004
【図４】
0004069704.tif 000005
【図５】
0004069704.tif 000006
【図６】
0004069704.tif 000007
【図７】
0004069704.tif 000008
【図８】
0004069704.tif 000009
【図９】
0004069704.tif 000010
【図１０】
0004069704.tif 000011
【図１１】
0004069704.tif 000012
【図１２】
0004069704.tif 000013
【図１３】
0004069704.tif 000014
【図１４】
0004069704.tif 000015
【図１５】
0004069704.tif 000016
【図１６】
0004069704.tif 000017
【図１７】
0004069704.tif 000018
【図１８】
0004069704.tif 000019
【図１９】
0004069704.tif 000020
【図２０】
0004069704.tif 000021
【図２１】
0004069704.tif 000022
【図２２】
0004069704.tif 000023
【図２３】
0004069704.tif 000024
【図２４】
0004069704.tif 000025
【図２５】
0004069704.tif 000026
【図２６】
0004069704.tif 000027
【図２７】
0004069704.tif 000028